(57)【特許請求の範囲】
【請求項１】
装着者の口および鼻を覆う本体部と、前記本体部を前記装着者の顔に保持させる保持部と、を有するマスク内に送風する送風装置であって、
前記本体部と前記装着者の顔の間に挿入される送風ノズルと、
前記本体部と前記装着者の顔の間にクリアランスを設けるフレーム部と、を備え、
前記送風ノズルは前記フレーム部に設けられ、前記クリアランスに面した送風口を有し、
前記フレーム部は、前記装着者の左右の頬にそれぞれ当接する一対のパッドを備え、
前記送風ノズルは、前記一対のパッドの、前記装着者の頬に当接する面の対向面に設けられ、
前記フレーム部は、前記一対のパッドの間に設けられ、前記装着者の顔から離れる方向に張り出すフレーム部材を備えることを特徴とする送風装置。
【請求項２】
前記送風ノズルは前記フレーム部と一体の部材であることを特徴とする請求項１記載の送風装置。
【請求項３】
前記フレーム部材が張り出す高さは、前記送風ノズルが前記パッドの前記対向面から膨出する高さに応じて設定することを特徴とする請求項１または２記載の送風装置。
【請求項４】
前記フレーム部材は、
前記一対のパッドの上部に接続する上フレームと、
前記一対のパッドの下部に接続し、前記上フレームと間隔を空けて設けられた下フレームと、を有することを特徴とする請求項１〜３のいずれか一項に記載の送風装置。
【請求項５】
前記フレーム部材は、前記一対のパッドの間において、前記上フレームおよび前記下フレームに直交する方向に延び、前記上フレームと前記下フレームとを接続する中央フレームを有することを特徴とする請求項４記載の送風装置。
【請求項６】
外部から供給されたエアーが通流するチューブ部と、
前記送風ノズルと前記チューブ部とを分離可能に接続するコネクタと、を備えることを特徴とする請求項１〜５のいずれか一項に記載の送風装置。
【請求項７】
装着者の口および鼻を覆う本体部と、前記本体部を前記装着者の顔に保持させる保持部と、を有するマスク内に送風する送風装置であって、
前記本体部と前記装着者の顔の間に挿入される送風ノズルと、
前記本体部と前記装着者の顔の間にクリアランスを設けるフレーム部と、
外部から供給されたエアーが通流するチューブ部と、
前記送風ノズルと前記チューブ部とを分離可能に接続するコネクタと、を備え、
前記送風ノズルは前記フレーム部に設けられ、前記クリアランスに面した送風口を有し、
前記コネクタは、
前記送風ノズルに設けられたノズル側磁石と、
前記チューブ部に設けられ、前記ノズル側磁石と磁力により接続可能なチューブ側磁石とを有することを特徴とする送風装置。
【請求項８】
前記ノズル側磁石は、前記送風ノズルの開口を挟んで上側と下側にそれぞれ設けられ、互いに極性の異なる第１の磁石と第２の磁石から構成されることを特徴とする請求項７記載の送風装置。
【請求項９】
前記チューブ側磁石は、前記チューブ部の開口を挟んで上側と下側にそれぞれ設けられ、互いに極性の異なる第３の磁石と第４の磁石から構成され、前記第１の磁石は前記第３の磁石と異なる極性を有し、前記第２の磁石は前記第４の磁石と異なる極性を有することを特徴とする請求項８記載の送風装置。
【請求項１０】
前記ノズル側磁石は、前記送風ノズルの開口中心に対して前記装着者の顔から離れる方向にオフセットした位置に設けられ、
前記チューブ側磁石は、前記チューブ部の開口中心に対して前記装着者の顔から離れる方向にオフセットした位置に設けられていることを特徴とする請求項７〜９のいずれか一項に記載の送風装置。
【請求項１１】
装着者の口および鼻を覆う本体部と、前記本体部を前記装着者の顔に保持させる保持部と、を有するマスク内に送風する送風装置であって、
前記本体部と前記装着者の顔の間に挿入される送風ノズルと、
前記本体部と前記装着者の顔の間にクリアランスを設けるフレーム部と、
外部から供給されたエアーが通流するチューブ部と、
前記送風ノズルと前記チューブ部とを分離可能に接続するコネクタと、を備え、
前記送風ノズルは前記フレーム部に設けられ、前記クリアランスに面した送風口を有し、
前記フレーム部は、前記装着者の左右の頬にそれぞれ当接する一対のパッドを備え、
前記チューブ部は、前記一対のパッドのそれぞれに設けられた前記送風ノズルに接続する第１のチューブおよび第２のチューブと、前記装着者の背面側において前記第１のチューブおよび前記第２のチューブを集合させる集合部とを備え、前記集合部には前記チューブ部を前記装着者に固定させる固定部が設けられていることを特徴とする送風装置。
【発明の詳細な説明】
【技術分野】
【０００１】
本発明は、送風装置に関する。
【背景技術】
【０００２】
ウィルスまたは細菌を介した感染症予防の対策や、工場または病院等の施設における衛生管理のために、口および鼻の周りを覆うマスクの装着を求められることがある。
【０００３】
しかしながら、夏等の温度の高い環境でマスクを長時間装着すると、マスク内の温度が上昇し、ユーザの不快感が増加することがある。その対策として、例えば、マスクに接触冷感素材を用いて、ユーザの不快感を軽減させることが提案されている（たとえば、特許文献１参照）。
【先行技術文献】
【特許文献】
【０００４】
【特許文献１】特開２０１９−５２４００号公報
【発明の概要】
【発明が解決しようとする課題】
【０００５】
しかしながら、マスク内にユーザの呼気がこもることによって温度および湿度が上がって蒸れることがあり、接触冷感素材を用いてもユーザの不快感を軽減しにくいことがある。
【０００６】
マスク内の蒸れを低減し、マスクを装着するユーザの快適性を向上させることが求められている。
【課題を解決するための手段】
【０００７】
本発明に係る送風装置は、
装着者の口および鼻を覆う本体部と、前記本体部を前記装着者の顔に保持させる保持部と、を有するマスク内に送風する送風装置であって、
前記本体部と前記装着者の顔の間に挿入される送風ノズルと、
前記本体部と前記装着者の顔の間にクリアランスを設けるフレーム部と、を備え、
前記送風ノズルは前記フレーム部に設けられ、前記クリアランスに面した送風口を有し、
前記フレーム部は、前記装着者の左右の頬にそれぞれ当接する一対のパッドを備え、
前記送風ノズルは、前記一対のパッドの、前記装着者の頬に当接する面の対向面に設けられ、
前記フレーム部は、前記一対のパッドの間に設けられ、前記装着者の顔から離れる方向に張り出すフレーム部材を備える。
【発明の効果】
【０００８】
本発明によれば、マスク内が蒸れるのを低減することができ、マスクを装着するユーザの快適性を向上させることができる。
【図面の簡単な説明】
【０００９】
【図１】実施の形態に係る送風装置の構成を示す図である。
【図２】送風装置の装着状態を示す図である。
【図３】送風装置の装着状態を示す図である。
【図４】フレーム部をユーザの顔側から見た図である。
【図５】フレーム部を図４の反対側から見た図である。
【図６】図５を面Ａで切断した断面図である。
【図７】分離状態のフレーム部とチューブ部を示す図である。
【図８】ユーザの後ろ側から見たノズルのコネクタを示す模式図である。
【図９】コネクタを構成するマグネットの極性を説明する図である。
【図１０】送風装置の装着の一例を説明する図である。
【図１１】（ａ）は、送風装置を装着したユーザを上から見た図であり、（ｂ）は、コネクタを上から見た模式図である。
【図１２】（ａ）は、ユーザが頭を右側に回転させた状態を示す図であり、（ｂ）は、コネクタを上から見た模式図であり、コネクタにかかる力を示している。
【図１３】比較例１を示す図である。
【図１４】比較例２を示す図である。
【図１５】変形例１を示す図である。
【発明を実施するための形態】
【００１０】
以下、本発明の実施の形態について図面を参照して説明する。ただし、以下の実施の形態に記載されている構成要素はあくまで例示であり、本発明の技術範囲をそれらのみに限定する趣旨のものではない。
【００１１】
図１は、実施の形態に係る送風装置の構成を示す図である。
図２は、送風装置の装着状態を示す図であり、ユーザの全身を示す図である。
図３は、送風装置の装着状態を示す図であり、ユーザの頭部周りの拡大図である。
【００１２】
実施の形態に係る送風装置は、ユーザの顔に装着されたマスク内にエアーを送るものである。
図１に示すように、送風装置１は、フレーム部２と、フレーム部２に接続するチューブ部４を備える。
図２に示すように、送風装置１の装着状態において、フレーム部２はユーザＵの顔Ｆと、マスク１００の間に挟み込まれて保持される。チューブ部４は、ユーザＵの首から背中に掛け渡される。チューブ部４は、送風装置１の外部のファン１５０に接続している。
【００１３】
以下の説明において、「上下方向」とは、ユーザＵがマスク１００および送風装置１を装着して立っている状態における「上下方向」を意味する。また、「前後方向」および「左右方向」は、マスク１００および送風装置１を装着したユーザＵにとっての「前後方向」および「左右方向」を意味する。そのため、いくつかの図面においては、図面に示している左右方向が、紙面の左右方向とは逆になっている。
【００１４】
マスク１００は、使い捨て可能または洗浄して繰り返し使用可能な市販品を用いることができる。
図３に示すように、マスク１００は、ユーザＵの口および鼻を覆う本体部１０１を備える。
本体部１０１は、たとえば、不織布およびガーゼ生地等のシートである。
本体部１０１は、たとえば、矩形状であっても良く、あるいは顔Ｆの凹凸に合わせた立体形状であっても良い。また、顔Ｆにフィットしやすいようにプリーツを付けても良い。また、本体部１０１に鼻の形状にフィットするように折り曲げ可能なワイヤ等を取り付けても良い。
【００１５】
本体部１０１の左右方向の端部１０１ａには、本体部１０１をユーザＵの顔Ｆに保持させるための環状部材１０２が取り付けられている。環状部材１０２は、ゴムまたは不織布等の伸縮可能な素材から構成することができる。本体部１０１を顔Ｆに押し当てて環状部材１０２をユーザＵの耳に引っ掛けることで、本体部１０１が顔Ｆにフィットした状態で保持される。すなわち、環状部材１０２は保持部として機能する。なお、保持部は環状部材１０２に限定されず、たとえば紐状部材とし、ユーザＵの頭の後ろで結んだり、留め具で固定したりしても良い。
【００１６】
フレーム部２は、マスク１００の本体部１０１とユーザＵの顔Ｆの間で保持される。図３において白抜き矢印で示すように、フレーム部２は、マスク１００内にエアーを供給するものである。ここで、「マスク１００内」とは、マスク１００の本体部１０１と顔Ｆの間を意味する。
【００１７】
図４は、フレーム部２をユーザＵの顔Ｆ側から見た図である。
図５は、フレーム部２を図３と反対側から見た図である。
図６は、図５を面Ａで切断した断面図であるが、わかりやすくするために一部を誇張した模式図である。また、図６では、ユーザＵの顔Ｆの一部とマスク１００の本体部１０１を仮想線で示している。
図４に示すように、フレーム部２は、左右方向に間隔を空けて配置されたパッド２１およびパッド２２を備える。フレーム部２は、パッド２１に設けられたノズル２３と、パッド２２に設けられたノズル２４と、を備える。フレーム部２は、パッド２１およびパッド２２を接続し、左右方向に延びる上フレーム２５および下フレーム２６と、フレーム部２の左右方向の中心に配置された中央フレーム２７を備える。
【００１８】
パッド２１、２２は、ユーザＵの左右の頬にそれぞれ当接する部材である（図３参照）。
図４に示すように、パッド２１、２２は略長方形の板状部材で、長手方向が上下方向に延びる。パッド２１、２２は、フレーム部２の左右方向の中心線Ｙを挟んで線対称になるように配置されている。
【００１９】
パッド２１、２２の、図４に図示される面２１ａ、２２ａが、ユーザＵの頬との当接面である。
頬は、一般的に、頬骨から顎に向かって顔Ｆの左右方向に中心寄りに傾斜している。パッド２１は、頬の傾斜に沿いやすいように、上端部２１ｃから下端部２１ｄに向かって、中心線Ｙに傾斜している。パッド２２も、上端部２２ｃから下端部２２ｄに向かって、中心線Ｙに傾斜している。すなわち、パッド２１の上端部２１ｃとパッド２２の上端部２２ｃの左右方向の間隔よりも、下端部２１ｄと下端部２２ｄの左右方向の間隔の方が短くなっている。
【００２０】
頬は、一般的に、頬骨から顎に向かって後ろ側に傾斜している。そのため、フレーム部２の装着状態では、パッド２２の下端部２２ｄは上端部２２ｃより後ろ側に位置する（図６参照）。図示は省略するが、パッド２１の下端部２１ｄも上端部２１ｃより後ろ側に位置する。
【００２１】
図５に示すように、ノズル２３、２４は、パッド２１、２２の上下方向の中心にそれぞれ接合されている。
ノズル２３は、左右方向に沿って延び、両端が開口した筒状部材である。
ノズル２３は、パッド２１の面２１ｂに接合する一端部２３ａと、一端部２３ａに接続し、パッド２１から離れる方向に延びる他端部２３ｂを有する。パッド２１の面２１ｂは、ユーザＵの頬に当接する面２１ａ（図４参照）と対向する面である。
【００２２】
図６に示すように、ノズル２３の一端部２３ａは、パッド２１の面２１ｂから、ユーザＵの顔Ｆから離れる方向に膨出している。ノズル２３の一端部２３ａは断面が略矩形となっており、面２１ｂからの膨出する高さを抑えつつ、面２１ｂとの接合面積が確保されている。
【００２３】
図５に示すように、パッド２１に接合していない他端部２３ｂは、一端部２３ａから変形しており、断面円形（図６参照）となっている。他端部２３ｂには後述するチューブ部４と接続するためのコネクタ３１が設けられている。
【００２４】
図５に示すように、ノズル２３は、他端部２３ｂから一端部２３ａに向かって上方に傾斜している。一端部２３ａの開口２３ｃは、レーム部の中心線Ｙに向かって、斜め上方に開口している。一端部２３ａの開口２３ｃから吐出されるエアーは、中心線Ｙに向かって上方に流れるようになっている。すなわち、一端部２３ａの開口２３ｃはノズル２３の送風口として機能する。
【００２５】
ノズル２４も、ノズル２３と同じ形状でありノズル２３と同じ態様でパッド２２に接合されており、中心線Ｙを挟んでノズル２３と線対称に配置されている。ノズル２４の詳細な説明は省略するが、ノズル２４の一端部２４ａの開口２４ｃは中心線Ｙを挟んでノズル２３の開口２３ｃと向かい合っている。すなわち、ノズル２３、２４の双方から吐出されるエアーが、中心線Ｙに向かって上方に流れるようになっている。他端部２４ｂには、後述するチューブ部４と接続するためのコネクタ３２が設けられている。
【００２６】
図３に示すように、送風装置１の装着状態において、パッド２１、２２に接合されたノズル２３、２４はマスク１００内に挿入される。一方、他端部２３ｂ、２４ｂに設けられたコネクタ３１、３２は、マスク１００の外に露出する。ノズル２３、２４のコネクタ３１、３２の詳細な構成については、チューブ部４のコネクタ５１、５２と共に後述する。
【００２７】
上フレーム２５および下フレーム２６は、パッド２１、２２の間に架け渡された柱状部材であり、上下方向に間隔を空けて配置されている。
図４および図５に示すように、上フレーム２５は、パッド２１の上端部２１ｃとパッド２２の上端部２２ｃを接続する。下フレーム２６は、パッド２１の下端部２１ｄとパッド２２の下端部２２ｄを接続する。
【００２８】
上フレーム２５および下フレーム２６は、それぞれパッド２１、２２の面２１ｂ、２２ｂ側に接合されている。前記したように、パッド２１、２２の上下方向の中心部にはノズル２３、２４が接合されている。すなわち、ノズル２３、２４は、上下方向において、上フレーム２５と下フレーム２６の間に設けられている。
【００２９】
前記したように、パッド２１、２２は、上端部２１ｃ、２２ｃ間の間隔よりも、下端部２１ｄ、２２ｄ間の間隔の方が短くなっているため、上端部２１ｃ、２２ｃを接続する上フレーム２５よりも、下端部２１ｄ、２２ｄを接続する下フレーム２６の方が短い。
【００３０】
上下フレーム２５、２６は、パッド２１、２２の面２１ｂ、２２ｂから離れる方向、すなわち装着状態においてユーザＵの顔Ｆから離れる前方向に張り出している。
図６に示すように、上下フレーム２５、２６が面２１ｂ、２２ｂから張り出す高さＨ１は、例えばノズル２３、２４が面２１ｂ、２２ｂから膨出する高さＨ２に応じて設定する。図６の例では、高さＨ１が高さＨ２よりも高くなるように設定しているが、例えば、高さＨ１を高さＨ２と同じとしても良い。
【００３１】
顔Ｆは、一般的には、左右の頬から顔Ｆの中心部の鼻に向かって前側に湾曲した形状である。
上フレーム２５および下フレーム２６は、パッド２１、２２から中心線Ｙに向かって前側に張り出すように湾曲しており、装着時に顔Ｆの形状に沿うようになっている。
【００３２】
図５に示すように、中央フレーム２７は、中心線Ｙに沿って延びる柱状部材で、上端部２７ａが上フレーム２５に接合され、下端部２７ｂが下フレーム２６に接合されている。
中央フレーム２７は、上下方向の中心が上端部２７ａおよび下端部２７ｂに対して前側に張り出すように湾曲しており、図６に示すように、装着時にユーザＵの唇に接触しにくいようになっている。
【００３３】
フレーム部２は、たとえば、樹脂等の撓みやすい素材で構成することができる。フレーム部２は、たとえば３Ｄプリンタ等で、一体成型品として構成しても良い。あるいは、各部は接着剤等で接合しても良い。
【００３４】
図１に示すように、チューブ部４は、三つ又のジョイント４４を介して接続された３つのチューブ４１、４２、４３から構成される。チューブ４１、４２、４３は、樹脂またはゴム等の柔軟性のある素材から構成することができる。
【００３５】
図１に示すように、チューブ４１の一端４１ａにはコネクタ５１が設けられ、このコネクタ５１がノズル２３のコネクタ３１に接続している。チューブ４１は他端４１ｂにおいて、ジョイント４４を介してチューブ４２および４３に接続している。
【００３６】
チューブ４２の一端４２ａにはコネクタ５２が設けられ、このコネクタ５２がノズル２４のコネクタ３２に接続している。チューブ４２は他端４２ｂにおいて、ジョイント４４を介してチューブ４１および４３に接続している。すなわち、フレーム部２から右方向および左方向にそれぞれ延びたチューブ４１、４２が、ジョイント４４において集合する。
【００３７】
チューブ４３の一端４３ａはジョイント４４を介してチューブ４１、４２に接続する。チューブ４３は一端４３ａから下方に延びる。すなわち、フレーム部２、チューブ４１およびチューブ４２が全体として環状を形成しており、チューブ４３はそこから下方に垂れ下がっている。
【００３８】
チューブ４３は不図示の他端側において、送風装置１とは別に用意されたファン１５０に接続する。外部のファン１５０から供給されたエアーは、チューブ４３からチューブ４１、４２に分かれて供給され、ノズル２３、２４から吐出される。
【００３９】
図２に示すように、フレーム部２はユーザＵの顔Ｆ、すなわち前面側に保持される。フレーム部２に接続するチューブ４１、４２は、ユーザＵの前面から左右の肩の上を通ってユーザＵの背面に回り込む。チューブ４３は、ユーザＵの背中に沿って下方に延びる。
【００４０】
図１に示すように、チューブ４１、４２および４３を接続するジョイント４４には、固定具であるクリップ４５が取り付けられている。図２に示すように、クリップ４５でユーザＵの衣服を挟むことで、チューブ部４はユーザＵの衣服に固定される。図２では、クリップ４５でユーザＵの上着の襟を挟む例を示しているが、例えば、ユーザＵが帽子をかぶっている場合は、帽子を挟むようにしても良い。また、固定具はクリップ４５に限定されず、例えば、面ファスナー等としても良い。この場合は、ユーザＵの衣服または帽子に面ファスナーを取り付けると良い。
【００４１】
チューブ４３が接続する外部のファン１５０は、ユーザＵが携帯可能なものであれば良く、その性能や携帯の態様は限定されない。ユーザＵは、例えば、ポーチ１６０にファン１５０を収納して、ベルト１７０でポーチ１６０を腰に取り付けても良い。あるいは、ユーザＵの衣服に収納部を設け、ファン１５０を収納するようにしても良い。
【００４２】
次に、ノズル２３、２４のコネクタ３１、３２と、チューブ４１、４２のコネクタ５１、５２の構成について説明する。
図７は、分離状態のフレーム部２とチューブ部４を示す図である。
図８は、ユーザＵの後ろ側から見たコネクタ３１、３２を示す模式図である。なお、図８ではわかりやすくするためにコネクタ３１、３２を大きく図示しており、ユーザＵとコネクタ３１、３２の大きさの比率は実際のものと異なる。
図９は、コネクタ３１、３２、５１、５２を構成するマグネットの極性を説明する図である。
なお、図７および８では、わかりやすくするためにマグネットにハッチングを付している。
【００４３】
図７に示すチューブ４１、４２の一端４１ａ、４２ａの開口４１ｃ、４２ｃと、図８に示すノズル２３、２４の他端部２３ｂ、２４ｂの開口２３ｄ、２４ｄは、同径の円形である。コネクタ３１、３２、５１、５２を介して接続すると開口４１ｃ、４２ｃと開口２３ｄ、２４ｄは同軸（中心軸Ｃ１、図９参照）となり、エアーが漏れなく流通するようになっている。
【００４４】
コネクタ３１、３２、５１、５２は、それぞれマグネットを備えており、磁力によって接続可能となっている。図７に示すように、ノズル２３のコネクタ３１が、チューブ４１のコネクタ５１と接続する。ノズル２４のコネクタ３２がチューブ４２のコネクタ５２と接続する。
【００４５】
図８に示すように、コネクタ３１は、ノズル２３の他端部２３ｂの開口２３ｄを囲む外周から、上方向および下方向のそれぞれに膨出した膨出部３１ａ、３１ｂから構成される。膨出部３１ａ、３１ｂのそれぞれには、マグネットＭＡ、ＭＢが嵌め込まれている。マグネットＭＡ、ＭＢは、互いに異なる極性を有する。ここで、極性とは、他のマグネットと接続する面における極性を意味する。図９に一例を示しているが、マグネットＭＡがＳ正極性（Ｓ極）の場合、マグネットＭＢは負極性（Ｎ極）である。
【００４６】
コネクタ３１は、ノズル２３の他端部２３ｂの開口２３ｄからオフセットするように配置されている。
具体的には、ノズル２３の開口２３ｄの中心軸Ｃ１に対して、コネクタ３１のマグネットＭＡ、ＭＢの中心軸Ｃ２が、ユーザＵの顔から離れる方向（図中右方向）にオフセットするように配置されている。
なお、マグネットＭＡ、ＭＢはそれぞれに別個の中心軸を有するが、ノズル２３の中心軸の左右方向のオフセット量のみが問題となるため、マグネットＭＡ、ＭＢの中心軸をまとめて「中心軸Ｃ２」という。また、ノズル２３はチューブ４１と接続すると同軸となるため、ノズル２３とチューブ４１の中心軸をまとめて「中心軸Ｃ１」という。
【００４７】
ノズル２４のコネクタ３２は、コネクタ３１と中心線Ｙを挟んで線対称となるように配置されている。コネクタ３２は、コネクタ３１と同様に、ノズル２４の開口２４ｄを挟んで上下に膨出した膨出部３２ａ、３２ｂを有する。膨出部３２ａ、３２ｂには、互いに極性の異なるマグネットＭＡ、ＭＢが嵌め込まれる。また、コネクタ３２は、ノズル２４の他端部２４ｂの開口２４ｄからオフセットするように配置されている。すなわち、コネクタ３２のマグネットＭＡ、ＭＢの中心軸Ｃ２が、ノズル２４の他端部２４ｂの開口２４ｄの中心軸Ｃ１に対して、ユーザＵの顔Ｆから離れる方向（図中左方向）にオフセットしている。なお、以降の説明において、「ユーザＵの顔Ｆから離れる方向にオフセットしている」状態を、単に「外側にオフセットしている」ともいう。
【００４８】
図７に示すように、チューブ４１、４２のコネクタ５１、５２も、コネクタ３１、３２と同様の構造である。すなわち、コネクタ５１、５２はチューブ４１、４２の開口４１ｃ、４２ｃを挟んで上下に膨出した膨出部５１ａ、５１ｂ、５２ａ、５２ｂを有する。膨出部５１ａ、５１ｂには互いに極性の異なるマグネットＭＣ、ＭＤが嵌め込まれる。膨出部５２ａ、５２ｂも、互いに極性の異なるマグネットＭＣ、ＭＤが嵌め込まれる。また、図７に示すように、コネクタ５１、５２は、チューブ４１、４２の開口４１ｃ、４２ｃの中心軸Ｃ１に対して外側（ユーザＵの顔Ｆから離れる方向）にオフセットしている。
【００４９】
コネクタ５１のマグネットＭＣ、ＭＤの極性は、接続するコネクタ３１の極性に対応するように設定する。例えば、図９に示すように、コネクタ３１の上側のマグネットＭＡがＳ極（正極性）の場合、コネクタ５１の上側のマグネットＭＣはＮ極（負極性）である。コネクタ３１の下側のマグネットＭＢがＮ極（負極性）の場合、コネクタ５１の下側のマグネットＭＤは、Ｓ極（正極性）である。
図示は省略するが、コネクタ５２のマグネットＭＣ、ＭＤの極性も、接続するコネクタ３２のマグネットＭＡ、ＭＢの極性に対応して設定する。
【００５０】
図１０は、送風装置１の装着の一例を説明する図である。
図１０に示すように、ユーザＵが送風装置１を装着する際は、フレーム部２とチューブ部４は分離した状態で、フレーム部２を装着する。
【００５１】
ユーザＵは、フレーム部２のパッド２１、２２を左右の頬に当てて押さえながら、マスク１００の本体部１０１を口および鼻周りに当て、環状部材１２０を耳に掛ける。図３に示すように、環状部材１２０によって、マスク１００の本体部１０１はユーザＵの顔Ｆに保持され、フレーム部２のパッド２１、２２が本体部１０１と頬とに挟み込まれることで、フレーム部２がマスク１００内に保持される。この際、ノズル２３、２４のコネクタ３１、３２は、マスク１００の外に露出している。
【００５２】
ユーザＵは、次に、チューブ部４をフレーム部２に接続する。ユーザＵは、チューブ４３を背面側に垂らした状態（図２参照）で、チューブ４１を右肩から前面側に移動させる。
ユーザＵは、チューブ４１のコネクタ５１を指でつまんで、ノズル２３のコネクタ３１に近づけて接続させる。コネクタ３１、５１は顔Ｆの近傍に位置するため、ユーザＵからは見えにくい。しかし、実施の形態ではコネクタ３１、５１をマグネットで構成しているため、両者を近づければ磁気で誘導され、簡単に接続することができる。
【００５３】
さらに、実施の形態では、コネクタ３１、３２、５１、５２それぞれにおいて、上下のマグネットの極性を異なるものとしている（図９参照）。すなわち、ノズル２３の上のマグネットＭＡと、チューブ４１の下のマグネットＭＤとは同じ極性となり、近づくと反発する。このため、ユーザＵが誤って上のマグネットを下のマグネットに接続してしまうことを防ぎやすい。
【００５４】
続いて、チューブ４２とノズル２４も、同様の方法で接続させることができる。
図１０に示すように、ユーザＵは、チューブ４２を左肩から前面側に移動させ、コネクタ５２を指でつまんで、ノズル２３のコネクタ３２に接続させる。これによって、チューブ部４がフレーム部２に接続される。
なお、チューブ４１、４２の接続順序は限定されず、逆にしても良い。
【００５５】
ユーザＵはさらに、チューブ部４のジョイント４４に設けられたクリップ４５（図１参照）を着衣に取り付ける。図２の例では、クリップ４５をユーザＵの上着の襟に取り付けているが、ユーザＵが帽子をかぶっている場合は、帽子に固定しても良い。
【００５６】
このように、ユーザＵは送風装置１を装着することができる。
フレーム部２と共に環状を形成するチューブ４１およびチューブ４２がユーザＵの首に掛けられ、クリップ４５がユーザＵの背面に取り付けられているため、チューブ部４がユーザＵから脱落しにくく、またユーザＵの動きを邪魔しないようになっている。
【００５７】
ユーザＵは、チューブ４３に接続した外部のファン１５０（図２参照）を駆動させる。ファン１５０からチューブ４３に供給されるエアーは、チューブ４１、４２に分岐してノズル２３、２４に供給される。ノズル２３、２４に供給されたエアーは、送風口である一端部２３ａ、２４ａの開口２３ｃ、２４ｃからマスク１００内に供給される。
【００５８】
図６に示すように、マスク１００内において、フレーム部２のパッド２１、２２は頬に当接しているが、上下フレーム２５、２６と中央フレーム２７は、頬から離れる方向に張り出している。この張り出しによって、マスク１００の本体部１０１と顔Ｆの間にクリアランスＣＬが形成される。
【００５９】
ノズル２３、２４の一端部２３ａ、２４ａの開口２３ｃ、２４ｃは、このクリアランスＣＬに面している。すなわち、クリアランスＣＬはノズル２３、２４から供給されたエアーの流通路として作用する。クリアランスＣＬがあることで、マスク１００内にエアーが行き渡りやすくなる。
前記したように、上下フレーム２５、２６の張り出す高さＨ１は、ノズル２３、２４の膨出する高さＨ２に応じたものとなっているため、ノズル２３、２４から吐出されたエアーの流通路が適切に確保される。
【００６０】
マスク１００内はユーザＵの呼気によって温度及び湿度が上がり蒸れやすいが、ノズル２３、２４から吐出されたエアーによって、マスク１００内の温度および湿度が下がるため、蒸れにくく、長時間マスク１００を装着しても快適性を維持しやすい。
【００６１】
なお、上下フレーム２５、２６に対して直交する方向（Ｙ方向）に延びる中央フレーム２７は、クリアランスＣＬを形成すると共に、上下フレーム２５、２６の補強フレームとしても作用する。
【００６２】
図１１の（ａ）は、送風装置１を装着したユーザＵを上から見た図であり、図１１の（ｂ）は、コネクタ３２、５２を上から見た模式図である。
図１２の（ａ）は、ユーザＵが頭を右側に回転させた状態を示す図であり、図１２の（ｂ）は、コネクタ３２、５２を上から見た模式図であり、コネクタ３２、５２にかかる力を示している。図１１および図１２では、チューブ部４のクリップ４５（図１参照）を、ユーザＵの着衣の襟に挟んで固定している場合を図示している。
なお、図１１および図１２では、各コネクタを構成するマグネットの図示は省略している。以下の説明において、「コネクタの中心軸Ｃ２」という場合は、コネクタを構成するマグネットの中心軸Ｃ２（図７、図８参照）を意味する。
図１１の（ｂ）と図１２の（ｂ）では、わかりやすくするために、コネクタ３２、５２を示す部分にハッチングを付している。また、図１１の（ｂ）と図１２の（ｂ）はあくまで模式図であるため、図１１の（ａ）および図１２の（ａ）と寸法は完全に一致していない。
【００６３】
ユーザＵは送風装置１を装着したままで頭を動かすことがある。実施の形態の送風装置１は、ユーザＵが頭を動かしても、フレーム部２とチューブ部４を接続するコネクタ３１、３２、５１、５２が外れにくいように構成されている。
【００６４】
図１１の（ａ）に示すように、ユーザＵの顔Ｆが正面を向いた状態では、フレーム部２およびチューブ部４は動かない。図１１の（ｂ）に示すように、フレーム部２とチューブ部４を接続するコネクタ３１、３２、５１、５２にも、力はかかっていない。
【００６５】
図１２の（ａ）に示すように、ユーザＵが顔Ｆを右側に回転させた場合、顔Ｆに保持されているフレーム部２とフレーム部２に接続するチューブ部４は顔Ｆの動きに追従して変位する。しかしながら、襟に固定されたクリップ４５は頭の動きに追従しないため、変位しない。すると、クリップ４５の左側に位置するチューブ４２は、クリップ４５によって左後方に引っ張られる。
【００６６】
図１２の（ｂ）は、ユーザＵが顔Ｆを右に動かした際にコネクタ５２に作用する力を示している。チューブ４２の内側（図中右側、ユーザＵの顔Ｆ側）を支点位置として、コネクタ５２の中心軸Ｃ２を作用位置とした場合、コネクタ５２には左方向に回転させる力がかかる。コネクタ５２は、マグネットの磁力によってコネクタ３２に接続しているが、コネクタ５２にかかる回転力が磁力を上回れば、コネクタ５２はコネクタ３２から分離することになる。なお、クリップ４５の右側に位置しているチューブ４１のコネクタ５１はコネクタ３１に向かって押し込まれるため、分離させる方向に力は作用しない。
【００６７】
ここで、図１１の（ｂ）に示すように、実施の形態ではコネクタ５２の中心軸Ｃ２をチューブ４１の中心軸Ｃ１に対して外側（図中左側）にオフセットさせている。すなわち、図１２の（ｂ）に示すように、コネクタ５２は、支点位置から作用位置までの距離Ｄ１が長くなるように配置されている。距離Ｄ１が長くなると、コネクタ５２に作用する回転力も小さくなり、コネクタ５２はコネクタ３２から分離しにくくなる。
【００６８】
図１３は比較例１を示す図である。図１３は、コネクタ３２Ａ、５２Ａを上から見た模式図であり、コネクタ３２Ａ、５２Ａにかかる力を示している。
図１４は比較例２を示す図であり、図１４は、コネクタ３２Ｂ、５２Ｂを上から見た模式図であり、コネクタ３２Ｂ、５２Ｂにかかる力を示している。
図１３に示すように、比較例１では、コネクタ３２Ａ、５２Ａの中心軸Ｃ２をノズル２４およびチューブ４２の中心軸Ｃ１に対してオフセットさせていない。実施の形態と同様にユーザＵの顔Ｆを右に向けた場合、コネクタ５２Ａには左方向に回転させる力がかかる。すなわち、コネクタ５２Ａをコネクタ３２Ａから分離させる方向に力がかかる。
【００６９】
比較例１では、支点位置から作用位置までの距離Ｄ２は、実施の形態の距離Ｄ１（図１２の（ｂ）参照）よりも短い。そのため、コネクタ５２Ａに作用する回転力は実施の形態よりも大きくなる。そのため比較例１は実施の形態よりも、コネクタ５２Ａがコネクタ３２Ａから分離しやすくなる。
【００７０】
図１４に示すように、比較例２では、コネクタ５２Ｂの中心軸Ｃ２をノズル２４およびチューブ４２の中心軸Ｃ１に対して内側、すなわちユーザＵの顔Ｆに近い方向（図中右方向）にオフセットしている。実施の形態と同様にユーザＵの顔Ｆを右に向けた場合、コネクタ５２Ｂには左方向に回転させる力がかかる。
【００７１】
比較例２では、支点位置から作用位置までの距離Ｄ３は、実施の形態の距離Ｄ１（図１２の（ｂ）参照）および比較例２の距離Ｄ２（図１３参照）よりも短い。そのため、コネクタ５２Ｂに作用する回転力は実施の形態および比較例よりも大きくなる。比較例２は実施の形態および比較例１よりも、コネクタ５２Ｂがコネクタ３２Ｂから分離しやすくなる。
【００７２】
比較例１、２に対して、実施の形態では、コネクタ３２、５２の中心軸Ｃ２を、ノズル２４、チューブ４２の中心軸Ｃ１より外側にオフセットさせている。これによって、コネクタ５２に回転力がかかった場合でも、支点位置から作用位置までの距離Ｄ１が長くなる。これによってコネクタ５２にかかる回転力を低減し、コネクタ３２、５２を分離しにくくすることができる。
【００７３】
なお、図示は省略するが、ユーザＵが顔Ｆを左側に回転させた場合は、コネクタ５１にコネクタ３１から分離させる回転力がかかる。コネクタ３１、５１もコネクタ３２、５２と同様に中心軸Ｃ１がオフセットして設けられており、支点位置から作用位置までの距離Ｄ１が長くなっている。これによってコネクタ５１にかかる回転力を低減し、コネクタ３１、５１を分離しにくくすることができる。
【００７４】
以上の通り、実施の形態の送風装置１は、以下の構成を備える。
（１）送風装置１は、ユーザＵ（装着者）の口および鼻を覆う本体部１０１と、本体部１０１をユーザＵの顔Ｆに保持させる環状部材１０２（保持部）と、を有するマスク１００内に送風するものである。送風装置１は、本体部１０１とユーザＵの顔Ｆの間に挿入されるノズル２３、２４（送風ノズル）を備える。
【００７５】
マスク１００内はユーザＵの呼気によって蒸れやすいが、送風装置１がマスク１００内に送風することによってマスク１００内の温度および湿度を下げ、蒸れを軽減することができる。これによって、温度の高い夏でも、マスク１００を快適に装着することができる。また、マスク１００を長時間装着する場合にも快適性を維持することができる。
【００７６】
マスク１００は、衛生面を考慮して、不織布等で構成された使い捨て可能な市販品を装着することがある。実施の形態の送風装置１は、そのような使い捨て可能なマスク１００に装着して送風することができ、利便性が高い。
【００７７】
また、ノズル２３、２４は、マスク１００の本体部１０１とユーザＵの顔Ｆの間に挿入されが、本体部１０１は環状部材１０２によってユーザＵの顔Ｆに保持されている。すなわち、ノズル２３、２４は本体部１０１とユーザＵの顔Ｆに挟み込まれてマスク１００内に保持される。これによって、ノズル２３、２４をユーザＵの顔Ｆに保持させる専用の保持具が不要となるため、送風装置１の装着が容易となる。また、送風装置１を軽量化し、製造コストを抑えることができる。
【００７８】
（２）送風装置１は、本体部１０１とユーザＵ（装着者）の顔Ｆの間にクリアランスＣＬを設けるフレーム部２を備える。ノズル２３、２４（送風ノズル）はフレーム部２に設けられ、クリアランスＣＬに面した開口２３ｃ、２４ｃ（送風口）を有する。
【００７９】
マスク１００内にクリアランスＣＬを設けることで、ノズル２３、２４の開口２３ｃ、２４ｃから吐出されるエアーがマスク１００内に行き渡りやすくなる。
【００８０】
（３）ノズル２３、２４（送風ノズル）はフレーム部２と一体の部材である。
ノズル２３、２４とフレーム部２を一体的に成型することで、製造効率を向上させることができる。
【００８１】
（４）フレーム部２は、ユーザＵ（装着者）の左右の頬にそれぞれ当接する一対のパッド２１、２２を備える。
ノズル２３、２４（送風ノズル）は、一対のパッド２１、２２の、装着者の頬に当接する面２１ａ、２２ａに対向する面２１ｂ、２２ｂ（対向面）に設けられる。
フレーム部２は、一対のパッド２１、２２の間に設けられ、装着者の顔Ｆから離れる方向に張り出す上フレーム２５、下フレーム２６および中央フレーム２７（フレーム部材）を備える。
【００８２】
パッド２１、２２が、本体部１０１とユーザＵの頬とに挟まれて保持されることで、フレーム部２がマスク１００内でずれにくくなり、送風装置１の装着時の快適性を向上することができる。
また、フレーム部材（上フレーム２５、下フレーム２６および中央フレーム２７）の張り出しによって、マスク１００内のクリアランスＣＬが確保される。これによって、マスク１００内にエアーが行き渡りやすい。
また、ノズル２３、２４がパッド２１、２２のそれぞれに設けられているため、フレーム部２の装着時にバランスが保たれやすい。さらにノズル２３、２４が左右方向の両側からマスク１００内に送風するため、マスク１００内にエアーが循環しやすい。
【００８３】
実施の形態では、フレーム部材として上フレーム２５、下フレーム２６および中央フレーム２７の組み合わせを説明したが、これに限定されない。例えば、中央フレーム２７を省略しても良い。あるいは、複数の中央フレーム２７を設けても良い。この場合は、複数の中央フレーム２７を、中心線Ｙを挟んで間隔を空けて配置することができる。また、上フレーム２５および下フレーム２６の間に、左右方向に延びるフレームを更に設けても良い。
【００８４】
（５）上フレーム２５、下フレーム２６および中央フレーム２７（フレーム部材）が張り出す高さＨ１は、ノズル２３、２４（送風ノズル）がパッド２１、２２の面２１ｂ、２２ｂ（対向面）から膨出する高さＨ２に応じて設定する。
【００８５】
これによって、ノズル２３、２４から吐出されるエアーがマスク１００内に行き渡るクリアランスＣＬを適切に確保することができる。実施の形態では、高さＨ１を高さＨ２より高い設定する例を説明したが、これに限定されない。例えば、高さＨ１を高さＨ２と同じとしても良い。またクリアランスＣＬが十分に確保できるのであれば、高さＨ１を高さＨ２より低く設定しても良い。
【００８６】
（６）フレーム部材は、
一対のパッド２１、２２の上端部２１ｃ、２２ｃ（上部）に接続する上フレーム２５と、
一対のパッド２１、２２の下端部２１ｄ、２２ｄ（下部）に接続し、上フレーム２５と間隔を空けて設けられた下フレーム２６と、を有する。
【００８７】
フレーム部材を上フレーム２５および下フレーム２６から構成することで、マスク１００内の上下方向に均一にクリアランスＣＬを形成することができる。また、上フレーム２５および下フレーム２６が間隔を空けて設けられていることによって、エアーの通りやすさを確保することができる。
【００８８】
（７）フレーム部材は、一対のパッド２１、２２の間において、上フレーム２５および下フレーム２６に直交する方向に延び、上フレーム２５と下フレーム２６とを接続する中央フレーム２７を有する。
中央フレーム２７が上フレーム２５および下フレーム２６に接続することによって、フレーム部２を補強することができる。また、中央フレーム２７の張り出しによって、上フレーム２５と下フレーム２６の間にもクリアランスＣＬを確保することができる。
【００８９】
（８）送風装置１は、外部から供給されたエアーが通流するチューブ部４と、
ノズル２３、２４（送風ノズル）とチューブ部４とを分離可能に接続するコネクタ３１、３２、５１、５２と、を備える。
【００９０】
この構成によって、ユーザＵは、フレーム部２をマスク１００内に装着した後で、チューブ部４をノズル２３、２４に接続することができ、送風装置１の装着が容易となる。さらに、チューブ部４はマスク１００の外に位置させることができるため、衛生面での要求はフレーム部２よりも高くない。そのため、チューブ部４は、外部のファン１５０と共に、複数のユーザＵで共用することもできる。
【００９１】
（９）コネクタ３１、３２、５１、５２は、
ノズル２３、２４（送風ノズル）に設けられたマグネットＭＡ、ＭＢ（ノズル側磁石）と、
チューブ部４に設けられ、マグネットＭＡ、ＭＢ（ノズル側磁石）と磁力により接続可能なマグネットＭＣ、ＭＤ（チューブ側磁石）とを有する。
【００９２】
コネクタ３１、３２、５１、５２はユーザＵの顔Ｆの近傍に位置するため、ユーザＵから見えにくいが、コネクタ同士を近づければ磁力によって誘導されるため、容易に接続することができる。
【００９３】
（１０）ノズル側磁石は、ノズル２３、２４（送風ノズル）の開口２３ｃ、２４ｃを挟んで上側と下側にそれぞれ設けられ、互いに極性の異なるマグネットＭＡ（第１の磁石）とマグネットＭＢ（第２の磁石）から構成される。
【００９４】
（１１）チューブ側磁石は、チューブ４１、４２（チューブ部４）の開口４１ｃ、４２ｃを挟んで上側と下側にそれぞれ設けられ、互いに極性の異なるマグネットＭＣ（第３の磁石）とマグネットＭＤ（第４の磁石）から構成される。マグネットＭＡ（第１の磁石）はマグネットＭＣ（第３の磁石）と異なる極性を有する。マグネットＭＢ（第２の磁石）はマグネットＭＤ（第４の磁石）と異なる極性を有する。
【００９５】
ノズル２３、２４とチューブ４１、４２を接続する際に、それぞれの開口２３ｃ、２４ｃと開口４１ｃ、４２ｃの上下にマグネットＭＡ、ＭＢ、ＭＣ、ＭＤが配置されていることで、開口同士を合わせやすくなる。これによって、ノズル２３、２４とチューブ４１、４２を適切に接続することができ、チューブ４１、４２からノズル２３、２４に供給されるエアーが漏れにくくなる。さらに同じコネクタの上下のマグネットの極性を異なるものとすることで、ユーザＵからコネクタ３１、３２、５１、５２が見えにくい状態でも、上側のマグネットＭＡ、ＭＣを相手側の下側のマグネットＭＢ、ＭＤに誤って接続することが防止される。
【００９６】
（１２）マグネットＭＡ、ＭＢ（ノズル側磁石）は、ノズル２３、２４（送風ノズル）の中心軸Ｃ１（開口中心）に対してユーザＵ（装着者）の顔Ｆから離れる方向にオフセットした位置に設けられている。マグネットＭＣ、ＭＤ（チューブ側磁石）は、チューブ４１、４２（チューブ部４）の中心軸Ｃ１（開口中心）に対してユーザＵ（装着者）の顔Ｆから離れる方向にオフセットした位置に設けられている。
【００９７】
ユーザＵが顔Ｆを動かした際に、コネクタ３１、３２、５１、５２を分離させる方向に回転力がかかることがある。この回転力がマグネットＭＡ、ＭＢ、ＭＣ、ＭＤの磁力を上回れば、コネクタ３１、３２、５１、５２が分離してしまう。
実施の形態の構成によれば、コネクタ３１、３２、５１、５２にかかる回転力の支点位置と作用位置の距離Ｄ１を長くすることができる。これによって、回転力を小さくすることができ、ユーザＵが顔Ｆを動かしてもコネクタ３１、３２、５１、５２が分離しにくくなる。
【００９８】
（１３）チューブ部４は、一対のパッド２１、２２のそれぞれに設けられたノズル２３、２４（送風ノズル）に接続するチューブ４１（第１のチューブ）およびチューブ４２（第２のチューブ）を備える。チューブ部４は、ユーザＵ（装着者）の背面側においてチューブ４１およびチューブ４２を集合させるジョイント４４（集合部）を備える。ジョイント４４には、チューブ部４をユーザＵ（装着者）に固定させるクリップ４５（固定部）が設けられている。
【００９９】
チューブ４１、４２がユーザＵの背面側で集合することによって、チューブ４１、４２がユーザＵに干渉することを低減することができる。また、クリップ４５をユーザＵの衣服に固定させることで、チューブ部４はユーザＵの動きに追従しやすくなる。これによって、ユーザＵが身体を動かした際にチューブ部４がユーザＵに干渉することを低減し、ユーザＵの身体から脱落するのを防止しやすくなる。
【０１００】
実施の形態では、クリップ４５をユーザＵの上着の襟に着ける例を説明したが、これに限定されない。ユーザＵが帽子をかぶっている場合には、クリップ４５で帽子を挟むようにしても良い。この場合は、クリップ４５がユーザＵの頭の動きに追従するため、ユーザＵが頭を回転させても、コネクタ３１、３２、５１、５２を分離させる方向の回転力がかかりにくくなる。
【０１０１】
送風装置１の構成は、実施の形態の例に限定されず、本発明の範囲内で適宜変更可能である。
例えば、実施の形態では、コネクタ３１、３２、５１、５２はマスク１００の外に露出していたが（図３参照）、コネクタ３１、３２、５１、５２はマスク１００内に位置するようにしても良い。コネクタ３１、３２、５１、５２がマスク１００内に位置することで目立たなくなり、外観をシンプルにすることができる。
【０１０２】
実施の形態では、コネクタ３１、３２、５１、５２の中心軸Ｃ２をノズル２３、２４およびチューブ４１、４２の中心軸Ｃ１に対してオフセットさせる例を説明したが（図７、図８参照）、これに限定されない。例えば、マグネットの磁力を強くし、回転力がかかっても外れにくくした場合等には、図１３の比較例のような構成としても良い。
【０１０３】
図１５は、変形例１を説明する図である。
図１５に示すように、変形例１では、パッド２１には、面２１ｂに接合されたノズル２３の一端部２３ａの内部と連通する開口部２９が設けられている。ノズル２３は、外縁のみがパッド２１の面２１ｂに接合されている。送風装置１の装着時、パッド２１はユーザＵの頬に当接するため、開口部２９は頬（図中破線）によって塞がれる。これによって、実施の形態と同様に、ノズル２３はマスク内にエアーを供給することができる。図示は省略するが、パッド２２およびノズル２４も同様の構成とすることができる。
【０１０４】
変形例１の構成とすることで、フレーム部２を、例えば金型を用いて一体成型する場合に金型から抜きやすくなる。
【符号の説明】
【０１０５】
１      送風装置
２      フレーム部
４      チューブ部
２１    パッド
２１ａ、２１ｂ  面
２１ｃ  上端部
２１ｄ  下端部
２２    パッド
２２ａ、２２ｂ  面
２２ｃ  上端部
２２ｄ  下端部
２２ａ、２２ｂ  面
２３    ノズル
２３ａ  一端部
２３ｂ  他端部
２３ｃ  開口
２３ｄ  開口
２４    ノズル
２４ａ  一端部
２４ｂ  他端部
２４ｃ  開口
２４ｄ  開口
２５    上フレーム
２６    下フレーム
２７    中央フレーム
３１    コネクタ
３１ａ、３１ｂ  膨出部
３２    コネクタ
３２ａ、３２ｂ  膨出部
４１    チューブ
４１ａ  一端
４１ｂ  他端
４１ｃ  開口
４２    チューブ
４２ａ  一端
４２ｂ  他端
４２ｃ  開口
４３    チューブ
４３ａ  一端
４４    ジョイント
４５    クリップ
５１    コネクタ
５１ａ、５１ｂ  膨出部
５２    コネクタ
５２ａ、５２ｂ  膨出部
１００  マスク
１０１  本体部
１０１ａ  端部
１０２  環状部材
１５０  ファン
１６０  ポーチ
１７０  ベルト
ＭＡ、ＭＢ  マグネット
ＭＣ、ＭＤ  マグネット
Ｙ      中心線
Ｕ      ユーザ
Ｆ      顔
【要約】      （修正有）【課題】マスク内の蒸れを低減し、マスクを装着するユーザの快適性を向上させる。【解決手段】送風装置は、ユーザＵの口および鼻を覆う本体部１０１と、本体部１０１をユーザＵの顔Ｆに保持させる環状部材１０２と、を有するマスク１００内に、送風する。送風装置は、本体部１０１とユーザＵの顔Ｆの間に挿入されるノズル２３、２４を備える。【選択図】図３【図１】
0006910747.tif 000002
【図２】
0006910747.tif 000003
【図３】
0006910747.tif 000004
【図４】
0006910747.tif 000005
【図５】
0006910747.tif 000006
【図６】
0006910747.tif 000007
【図７】
0006910747.tif 000008
【図８】
0006910747.tif 000009
【図９】
0006910747.tif 000010
【図１０】
0006910747.tif 000011
【図１１】
0006910747.tif 000012
【図１２】
0006910747.tif 000013
【図１３】
0006910747.tif 000014
【図１４】
0006910747.tif 000015
【図１５】
0006910747.tif 000016